(57)【要約】【課題】収納状態とされた掃除機本体を使用者が持ち運ぶ際に、掃除機本体の振れによって使用者の手に負担がかかることがなく、使い勝手のよい電気掃除機の提供。【解決手段】吸引風を発生させる電動送風機を内蔵する掃除機本体と、掃除機本体に設けられており、使用者が掃除機本体を持ち運ぶ際に保持する把手部と、を備え、掃除機本体は、掃除機本体の下面が被清掃面に対向する使用状態と、掃除機本体の後面が被清掃面に対向する収納状態と、を取り得るように構成されており、掃除機本体は、掃除機本体が収納状態とされた状態において、掃除機本体の重心が把手部と被清掃面とを垂直に結ぶ直線上に位置するように構成されている、電気掃除機。【選択図】図５
2014200536.tif 000002
【特許請求の範囲】
【請求項１】
吸引風を発生させる電動送風機を内蔵する掃除機本体と、前記掃除機本体に設けられており、使用者が前記掃除機本体を持ち運ぶ際に保持する把手部と、を備え、前記掃除機本体は、前記掃除機本体の下面が被清掃面に対向する使用状態と、前記掃除機本体の後面が被清掃面に対向する収納状態と、を取り得るように構成されており、前記掃除機本体は、前記掃除機本体が収納状態とされた状態において、前記掃除機本体の重心が前記把手部と被清掃面とを垂直に結ぶ直線上に位置するように構成されている、電気掃除機。
【請求項２】
被清掃面の塵埃を吸引する吸込具と、一端が前記吸込具に取り付けられる延長管と、一端が前記延長管の他端に取り付けられ、他端が前記掃除機本体に取り付けられるホースと、をさらに備え、前記掃除機本体に前記吸込具、前記延長管、及び前記ホースが取り付けられた状態において、前記把手部と前記ホースとの間に隙間が生じるように構成されている、請求項１に記載の電気掃除機。
【請求項３】
被清掃面の塵埃を吸引する吸込具と、一端が前記吸込具に取り付けられる延長管と、一端が前記延長管の他端に取り付けられ、他端が前記掃除機本体に取り付けられるホースと、をさらに備え、前記吸込具または前記延長管のうちの少なくとも一方には、係止部が設けられており、前記掃除機本体の側面には、前記係止部が係止される被係止部が設けられており、前記掃除機本体に前記吸込具、前記延長管、及び前記ホースが取り付けられた状態で、前記掃除機本体が収納状態とされ、かつ、前記係止部が前記被係止部に取り付けられた状態において、前記掃除機本体に前記吸込具、前記延長管、及び前記ホースを取り付けた状態における重心が前記把手部と被清掃面とを垂直に結ぶ直線上に位置する、請求項１または２に記載の電気掃除機。
【請求項４】
前記掃除機本体に前記吸込具、前記延長管、及び前記ホースが取り付けられた状態で、前記掃除機本体が収納状態とされ、かつ、前記係止部が前記被係止部に取り付けられた状態において、前記掃除機本体に前記吸込具、前記延長管、及び前記ホースを取り付けた状態における重心が前記把手部よりも下方に位置する、請求項３に記載の電気掃除機。
【請求項５】
被清掃面の塵埃を吸引する吸込具と、一端が前記吸込具に取り付けられる延長管と、一端が前記延長管の他端に取り付けられ、他端が前記掃除機本体に取り付けられるホースと、をさらに備え、前記吸込具及び前記延長管のうちの少なくとも一方には、係止部が設けられており、前記掃除機本体の側面には、前記係止部が係止される被係止部が設けられており、前記被係止部は、前記掃除機本体が収納状態とされた状態において、前記把手部と被清掃面とを垂直に結ぶ直線を前記掃除機本体の側面に投影した直線上に位置するように形成されている、請求項１〜４のうちの何れか１項に記載の電気掃除機。
【請求項６】
前記被係止部は前記掃除機本体の側面の両側に設けられている、請求項３〜５のうちの何れか１項に記載の電気掃除機。
【発明の詳細な説明】
【技術分野】
【０００１】
本発明は、電気掃除機に関する。
【背景技術】
【０００２】
従来、この種の電気掃除機においては、使用者が掃除機本体を持ち運ぶ際に、使用者の手に生じる衝撃を抑制させるべく、使用者が掃除機本体を持ち運ぶ際に保持するハンドルを掃除機本体に回動自在に取り付けた構成が提案されている（例えば、特許文献１参照）。
【０００３】
すなわち、図１０（ａ）〜（ｃ）に示すように、従来の電気掃除機（図示せず）は、吸引風を発生させる電動送風機（図示せず）を内蔵する掃除機本体２００と、掃除機本体２００に回動自在に軸支されたハンドル２０１と、を有している。また、掃除機本体２００の前側の床面Ｆに対向する下部には、前輪としての旋回輪２０２が回転自在かつ旋回可能に設けられているとともに、掃除機本体２００の後部両側には、後輪としての従動輪２０３が回転自在に設けられている。さらに、ハンドル２０１は、掃除機本体２００に対して略垂直となるように前方に回動させた使用状態と、掃除機本体２００に沿わせるように後方に回動させた収納状態と、を取り得るように構成されており、ハンドル２０１を収納状態から使用状態へと回動させることで、掃除機本体２００は、旋回輪２０２及び従動輪２０３が床面Ｆに接地された水平状態から掃除機本体２００の後部が下側（床面Ｆ側）とされた垂直状態とされ、電気掃除機が収納可能となるように構成されている。
【０００４】
そして、図１０（ａ）〜（ｃ）に示すように、従来の電気掃除機においては、使用者が電気掃除機を収納するために、使用者がハンドル２０１を収納状態から前方へと回動させ、掃除機本体２００の旋回輪２０２を床面Ｆから浮かせ、掃除機本体を水平状態から垂直状態とした際に、従動輪２０３と床面Ｆとの接地面とハンドル２０１とを結ぶ直線Ｌ１が掃除機本体２００の重心Ｇを超えないようにハンドル２０１の回動を規制することで、掃除機本体を水平状態から垂直状態とした際に、直線Ｌ１が掃除機本体２００の重心Ｇを超えることで発生する掃除機本体２００の振れを防止するように構成されている。
【０００５】
また、図１１に示すように、従来の電気掃除機においては、ハンドル２０１を回動規制位置（図１０（ｃ）に示す位置）とし、掃除機本体２００を垂直状態とした状態（図１１に示す状態）にした際に、掃除機本体２００の重心Ｇがハンドル２０１と床面Ｆとを垂直に結ぶ直線Ｌ２よりも前方に位置するように構成されている。
【先行技術文献】
【特許文献】
【０００６】
【特許文献１】特開２００６−１９８１５１号公報
【発明の概要】
【発明が解決しようとする課題】
【０００７】
しかしながら、上記従来の電気掃除機においては、電気掃除機の使い勝手を向上させるという観点からは未だ改善の余地があった。
【０００８】
すなわち、上記従来の電気掃除機においては、掃除機本体の後部が床面側とされた垂直状態において、掃除機本体に設けられたハンドルと床面とを垂直に結んだ直線よりも前方に掃除機本体の重心が位置しているため、使用者が垂直状態とされた掃除機本体を持ち運ぶためにハンドルを保持し、掃除機本体を上方へと持ち上げた際、掃除機本体の重心が掃
除機本体のハンドルと床面とを垂直に結んだ直線上に位置するように掃除機本体が振れてしまい、この掃除機本体の振れによって生じた振動等がハンドルを保持している使用者の手に伝わり、使用者の手に負担がかかってしまう場合があった。
【０００９】
本発明は、上記従来技術の有する課題に鑑みてなされたものであり、収納状態とされた掃除機本体を使用者が持ち運ぶ際に、掃除機本体の振れによって使用者の手に負担がかかることがなく、使い勝手のよい電気掃除機を提供することを目的とする。
【課題を解決するための手段】
【００１０】
上記従来技術の有する課題を解決するために、本発明は、吸引風を発生させる電動送風機を内蔵する掃除機本体と、掃除機本体に設けられており、使用者が掃除機本体を持ち運ぶ際に保持する把手部と、を備え、掃除機本体は、掃除機本体の下面が被清掃面に対向する使用状態と、掃除機本体の後面が被清掃面に対向する収納状態と、を取り得るように構成されており、掃除機本体は、掃除機本体が収納状態とされた状態において、掃除機本体の重心が把手部と被清掃面とを垂直に結ぶ直線上に位置するように構成されている、電気掃除機を提供する。
【００１１】
上述のように、本発明の電気掃除機は、掃除機本体が収納状態とされた状態において、掃除機本体の重心が把手部と被清掃面とを垂直に結ぶ直線上に位置するように構成したものである。
【００１２】
これにより、収納状態とされた掃除機本体を持ち運ぶために、使用者が掃除機本体に設けられた把手部を保持し、掃除機本体を持ち上げたときに、掃除機本体が振れることを十分に防止することができ、把手部を保持している使用者の手に負担がかかることを十分に防止することができるため、掃除機本体を安定して持ち運ぶことができ、電気掃除機の使い勝手を向上させることができる。
【発明の効果】
【００１３】
本発明の電気掃除機によれば、収納状態とされた掃除機本体を持ち運ぶために、使用者が掃除機本体に設けられた把手部を保持し、掃除機本体を持ち上げたときに、掃除機本体が振れることを十分に防止することができ、把手部を保持している使用者の手に負担がかかることを十分に防止することができるため、掃除機本体を安定して持ち運ぶことができ、電気掃除機の使い勝手を向上させることができるようになる。
【図面の簡単な説明】
【００１４】
【図１】本発明の実施の形態１における電気掃除機の全体斜視図
【図２】本発明の実施の形態１における掃除機本体の前方斜視図
【図３】本発明の実施の形態１における掃除機本体の後方斜視図
【図４】本発明の実施の形態１における掃除機本体の側面図
【図５】本発明の実施の形態１における掃除機本体の収納状態を示す掃除機本体の側面図
【図６】本発明の実施の形態２における電気掃除機の全体斜視図
【図７】本発明の実施の形態２における延長管の後面斜視図
【図８】本発明の実施の形態２における掃除機本体を収納状態とし、係止部に被係止部を係止した状態を示す電気掃除機の全体斜視図
【図９】本発明の実施の形態２における掃除機本体を収納状態とし、係止部に被係止部を係止させた状態を示す電気掃除機の側面図
【図１０】（ａ）従来の電気掃除機におけるハンドルを収納状態から回動させた状態を示す掃除機本体の側面図、（ｂ）従来の電気掃除機におけるハンドルを収納状態から回動させ、掃除機本体の旋回輪を持ち上げた状態を示す掃除機本体の側面図、（ｃ）従来の電気掃除機におけるハンドルを収納状態から回動規制位置まで回動させた状態を示す掃除機本体の側面図
【図１１】従来の電気掃除機におけるハンドルを最大回動状態とし、掃除機本体を垂直状態とした状態を示す掃除機本体の側面図
【発明を実施するための形態】
【００１５】
第１の発明は、吸引風を発生させる電動送風機を内蔵する掃除機本体と、掃除機本体に設けられており、使用者が掃除機本体を持ち運ぶ際に保持する把手部と、を備え、掃除機本体は、掃除機本体の下面が被清掃面に対向する使用状態と、掃除機本体の後面が被清掃面に対向する収納状態と、を取り得るように構成されており、掃除機本体は、掃除機本体が収納状態とされた状態において、掃除機本体の重心が把手部と被清掃面とを垂直に結ぶ直線上に位置するように構成されている、電気掃除機としたものである。
【００１６】
これにより、掃除機本体が収納状態とされた状態において、掃除機本体の重心が把手部と被清掃面とを垂直に結ぶ直線上に位置する構成となるため、収納状態とされた掃除機本体を持ち運ぶために、使用者が掃除機本体に設けられた把手部を保持し、掃除機本体を持ち上げたときに、掃除機本体が振れることを十分に防止することができ、把手部を保持している使用者の手に負担がかかることを十分に防止することができる。そのため、掃除機本体を安定して持ち運ぶことができ、電気掃除機の使い勝手を向上させることができる。
【００１７】
第２の発明は、特に、第１の発明において、被清掃面の塵埃を吸引する吸込具と、一端が吸込具に取り付けられる延長管と、一端が延長管の他端に取り付けられ、他端が掃除機本体に取り付けられるホースと、をさらに備え、掃除機本体に吸込具、延長管、及びホースが取り付けられた状態において、把手部とホースとの間に隙間が生じるように構成されている構成としたものである。
【００１８】
これにより、掃除機本体に吸込具、延長管、及びホースが取り付けられた状態において、把手部とホースとの間には隙間が形成されているため、使用者が把手部を保持した際に、把手部を保持している使用者の手がホースに接触することを十分に防止することができ、電気掃除機の使い勝手を向上させることができる。
【００１９】
第３の発明は、特に、第１または第２の発明において、被清掃面の塵埃を吸引する吸込具と、一端が吸込具に取り付けられる延長管と、一端が延長管の他端に取り付けられ、他端が掃除機本体に取り付けられるホースと、をさらに備え、吸込具または延長管のうちの少なくとも一方には、係止部が設けられており、掃除機本体の側面には、係止部が係止される被係止部が設けられており、掃除機本体に吸込具、延長管、及びホースが取り付けられた状態で、掃除機本体が収納状態とされ、かつ、係止部が被係止部に取り付けられた状態において、掃除機本体に吸込具、延長管、及びホースを取り付けた状態における重心が把手部と被清掃面とを垂直に結ぶ直線上に位置する構成としたものである。
【００２０】
これにより、掃除機本体に吸込具、延長管、及びホースが取り付けられた状態で、掃除機本体が収納状態とされ、かつ、係止部が被係止部に取り付けられた状態において、掃除機本体に吸込具、延長管、及びホースを取り付けた状態における重心が把手部と被清掃面とを垂直に結ぶ直線上に位置する構成となるため、掃除機本体に吸込具、延長管、及びホースが取り付けられた状態で収納状態とされている掃除機本体を持ち運ぶために、使用者が掃除機本体に設けられた把手部を保持し、掃除機本体を持ち上げたときに、掃除機本体が振れることを十分に防止することができ、把手部を保持している使用者の手に負担がかかることを十分に防止することができる。そのため、掃除機本体を安定して持ち運ぶことができ、電気掃除機の使い勝手を向上させることができる。
【００２１】
第４の発明は、特に、第３の発明において、掃除機本体に吸込具、延長管、及びホースが取り付けられた状態で、掃除機本体が収納状態とされ、かつ、係止部が被係止部に取り付けられた状態において、掃除機本体に吸込具、延長管、及びホースを取り付けた状態における重心が把手部よりも下方に位置する構成としたものである。
【００２２】
これにより、掃除機本体に吸込具、延長管、及びホースが取り付けられた状態で収納状態とされている掃除機本体を持ち運ぶために、使用者が掃除機本体に設けられた把手部を保持し、掃除機本体を持ち上げたときに、掃除機本体が振れることをさらに十分に防止することができ、把手部を保持している使用者の手に負担がかかることをさらに十分に防止することができるため、掃除機本体をより安定して持ち運ぶことができ、電気掃除機の使い勝手をさらに向上させることができる。
【００２３】
第５の発明は、特に、第１〜第４の発明において、被清掃面の塵埃を吸引する吸込具と、一端が吸込具に取り付けられる延長管と、一端が延長管の他端に取り付けられ、他端が掃除機本体に取り付けられるホースと、をさらに備え、吸込具及び延長管のうちの少なくとも一方には、係止部が設けられており、掃除機本体の側面には、係止部が係止される被係止部が設けられており、被係止部は、掃除機本体が収納状態とされた状態において、把手部と被清掃面とを垂直に結ぶ直線を掃除機本体の側面に投影した直線上に位置するように形成されている構成としたものである。
【００２４】
これにより、掃除機本体に吸込具、延長管、及びホースが取り付けられた状態で収納状態とされている掃除機本体を持ち運ぶために、使用者が掃除機本体に設けられた把手部を保持し、掃除機本体を持ち上げたときに、掃除機本体が振れることを十分に防止することができ、把手部を保持している使用者の手に負担がかかることを十分に防止することができるため、掃除機本体を安定して持ち運ぶことができ、電気掃除機の使い勝手を向上させることができる。
【００２５】
第６の発明は、特に、第３〜第５の発明において、被係止部は掃除機本体の側面の両側に設けられている構成としたものである。
【００２６】
これにより、使用者の利き手によらず、係止部を被係止部に係止させることができるため、電気掃除機の使い勝手を向上させることができる。
【００２７】
以下、図面を参照しながら本発明の電気掃除機の好適な実施形態について詳細に説明する。なお、以下の説明では、同一または相当部分には同一符号を付し、重複する説明は省略する。
【００２８】
（実施の形態１）
本発明の電気掃除機の実施の形態１について、図１〜図５を用いて説明する。
【００２９】
図１は、本発明の実施の形態１における電気掃除機の全体斜視図である。また、図２は、本発明の実施の形態１における掃除機本体の前方斜視図である。さらに、図３は、本発明の実施の形態１における掃除機本体の後方斜視図である。また、図４は、本発明の実施の形態１における掃除機本体の側面図である。さらに、図５は、本発明の実施の形態１における掃除機本体の収納状態を示す掃除機本体の側面図である。
【００３０】
図１に示すように、電気掃除機１００は、吸引風を発生させる電動送風機（図示せず）を内蔵する掃除機本体１と、被清掃面の塵埃を吸引する吸込具２と、一端が吸込具２に着脱自在に接続される伸縮自在或いは継ぎ自在の延長管３と、一端が延長管３の他端に着脱自在に接続され、他端が掃除機本体１の前部に設けられた接続口１ａに着脱自在に接続さ
れるホース４と、から構成されている。
【００３１】
吸込具２には、被清掃面の塵埃を掻きあげる回転ブラシ（図示せず）と、回転ブラシ（図示せず）を回転駆動する駆動モータと、が内蔵されている。また、ホース４の延長管３側の端部には、使用者が掃除の際に握る保持部５を有する先端パイプ６が設けられている。また、ホース４の掃除機本体１側の端部には、掃除機本体１の接続口１ａに着脱自在に接続される接続パイプ７が設けられている。
【００３２】
図１〜図４に示すように、掃除機本体の後方の両側面には、一対の走行用の車輪８が回動自在に取り付けられている。また、掃除機本体１の下面の前部には、走行用のキャスター９が取り付けられている。そして、掃除機本体１は、車輪８及びキャスター９が被清掃面Ｆに接地することで、使用状態で保持されるように構成されている。また、掃除機本体１の後面の上部には、掃除機本体１の収納状態において、被清掃面Ｆに接地する第１の接地部１０が設けられている。さらに、掃除機本体１の後面の下部には、掃除機本体１の収納状態において、被清掃面Ｆに接地する複数の第２の接地部１１が設けられている。そして、掃除機本体１は、掃除機本体１の収納状態において、第１の接地部１０及び第２の接地部１１が被清掃面Ｆに接地することで、収納状態で保持されるように構成されている。
【００３３】
ここで、本実施の形態における掃除機本体１の使用状態とは、掃除機本体１の下面が被清掃面Ｆに対向する状態であり、図４（ａ）及び（ｂ）に示す状態である。また、本実施の形態における掃除機本体１の収納状態とは、掃除機本体１の後面が被清掃面Ｆに対向する状態であり、図５に示す状態である。
【００３４】
図１〜図５に示すように、掃除機本体１の前方の上部には、使用者が掃除機本体１を持ち運ぶ際に保持する略Ｕ字状の把手部１２が掃除機本体１に取り付けられている。把手部１２は、掃除機本体１を持ち運ぶ際に使用者が保持する把手部本体１２ａと、把手部本体１２ａの両端から延設された取付部１２ｂと、から構成されており、取付部１２ｂの掃除機本体１側に両端部が掃除機本体１に取り付けられている。
【００３５】
ここで、本実施の形態においては、掃除機本体１のホース４が接続される側（図１〜図４中の矢印Ａ側）を「前」とし、その反対側（図１〜図４中の矢印Ｂ側）を「後」とする。また、本実施の形態において、左右方向は、掃除機本体１の前に向かって左右方向として規定される。
【００３６】
また、図５に示すように、掃除機本体１は、掃除機本体１が収納状態とされた状態において、把手部１２と被清掃面Ｆとを垂直に結んだ直線Ｌ１、すなわち、把手部本体１２ａの中心部と被清掃面Ｆとを垂直に結んだ直線Ｌ１上に掃除機本体１の重心Ｇ１が位置するように構成されている。また、図５に示すように、把手部１２は、掃除機本体１に吸込具２、延長管３、及びホース４が取り付けられた状態において、把手部１２の把手部本体１２ａとホース４の接続パイプ７との間に隙間が生じるように構成されている。
【００３７】
以上のように構成された電気掃除機１００について、以下、その動作及び作用を説明する。
【００３８】
掃除機本体１を使用状態とし、掃除機本体１に吸込具２、延長管３、及びホース４を接続した状態で、使用者により電気掃除機１００の運転が開始されると、電動送風機（図示せず）で吸引風が発生され、吸引力が発生する。この状態で、使用者が吸込具２を被清掃面Ｆ上で移動させると、吸込具２の吸込口（図示せず）から被清掃面Ｆ上の塵埃が空気とともに吸引される。吸込具２で吸引された塵埃は、空気とともに、延長管３及びホース４を介して掃除機本体１の接続口１ａから掃除機本体１の内部へと流入し、掃除機本体１の
内部に配置された集塵部（図示せず）によって塵埃が捕集される。塵埃が捕集された後の空気は、電動送風機（図示せず）の内部へと流入し、掃除機本体１の内部へと排出され、その後、掃除機本体１の後面に形成された排気口（図示せず）から掃除機本体１の外部へと排出される。
【００３９】
掃除中に使用者が掃除機本体１を持ち上げて移動させる場合や掃除が終了し電気掃除機１００を収納する場合、使用者は掃除機本体１に設けられた把手部１２の把手部本体１２ａを保持し、掃除機本体１を持ち上げる。
【００４０】
掃除が終了し、掃除機本体１が収納状態とされている状態において、使用者が掃除機本体１を持ち運ぶ際、使用者は、把手部１２の把手部本体１２ａを保持し、把手部１２を上方へと持ち上げる。使用者によって把手部１２が上方へと持ち上げられると、掃除機本体１が上方へと持ち上げられ、掃除機本体１の後面に設けられた第１の接地部１０及び第２の接地部１１が被清掃面Ｆから離間される。このとき、本実施の形態においては、掃除機本体１の収納状態とされた状態において、把手部１２の把手部本体１２ａの中央部と被清掃面Ｆとを垂直に結ぶ直線Ｌ１上に掃除機本体１の重心Ｇ１が位置するように構成しているため、使用者が収納状態とされている掃除機本体１を上方に持ち上げた際に、掃除機本体１の重心Ｇ１が把手部本体１２ａの中央部と被清掃面Ｆとを垂直に結ぶ直線Ｌ１方向に振れることがない。そのため、収納状態とされている掃除機本体１を使用者が持ち上げた際に、掃除機本体１の重心Ｇ１が把手部本体１２ａの中央部と被清掃面Ｆとを垂直に結ぶ直線Ｌ１方向に振れることによって生じる振動が把手部１２を保持している使用者の手に伝わることがなく、使用者の手に負担がかかることがないため、使用者は掃除機本体１を安定して持ち上げることができ、電気掃除機の使い勝手を向上させることができる。
【００４１】
また、本実施の形態においては、掃除機本体１の収納状態とされた状態において、把手部１２の把手部本体１２ａの中央部と被清掃面Ｆとを垂直に結ぶ直線Ｌ１上に掃除機本体１の重心Ｇ１が位置するように構成しているため、収納状態とされている掃除機本体１を使用者が持ち運ぶ際に、掃除機本体１の重心Ｇ１が把手部本体１２ａの中央部と被清掃面Ｆとを垂直に結ぶ直線Ｌ１方向に振れることがない。そのため、収納状態とされている掃除機本体１を使用者が持ち運ぶ際に、掃除機本体１が振られることがなく、掃除機本体１に内蔵された電動送風機（図示せず）等の内部部品への衝撃負荷を抑制することができる。
【００４２】
また、本実施の形態においては、掃除機本体１の収納状態とされた状態において、把手部１２の把手部本体１２ａの中央部と被清掃面Ｆとを垂直に結ぶ直線Ｌ１上に掃除機本体１の重心Ｇ１が位置するように構成しているため、使用者が持ち運んでいる掃除機本体１を被清掃面Ｆ上に置く際、掃除機本体１の後面に設けられた第１の接地部１０及び第２の接地部１１が同時に被清掃面Ｆに接地する。そのため、使用者が持ち運んでいる掃除機本体１を被清掃面Ｆ上に降ろした際に、掃除機本体１の重心Ｇ１が移動し、掃除機本体１が転倒することがなく、掃除機本体１を安定して被清掃面Ｆ上に載置することができ、電気掃除機１００の使い勝手を向上させることができる。
（実施の形態２）
本発明の電気掃除機の実施の形態２について、図６〜図９を用いて説明する。なお、上述した実施の形態１と同一の構成部品については同一符号を付して、その説明を省略する。
【００４３】
図６は、本発明の実施の形態２における電気掃除機の全体斜視図である。また、図７は、本発明の実施の形態２における延長管の後面斜視図である。さらに、図８は、本発明の実施の形態２における掃除機本体を収納状態とし、係止部に被係止部を係止した状態を示す電気掃除機の全体斜視図である。また、図９は、本発明の実施の形態２における掃除機
本体を収納状態とし、係止部に被係止部を係止させた状態を示す電気掃除機の側面図である。
【００４４】
図６に示すように、掃除機本体１の側面には、被係止部１３が設けられている。また、図６及び図７に示すように、延長管３の吸込具２側に端部には、被係止部１３に係止される係止部１４が形成されている。そして、図８に示すように、掃除機本体１に吸込具２、延長管３、及びホース４が取り付けられた状態で、かつ、掃除機本体１が収納状態とされた状態において、延長管３に設けられた係止部１４が掃除機本体１に設けられた被係止部１３に係止されることで、掃除機本体１に延長管３が保持され、掃除機本体１に吸込具２、延長管３、及びホース４が取り付けられた状態で電気掃除機１００を収納することができるように構成されている。
【００４５】
また、本実施の形態においては、上述した実施の形態１に記載の構成に加え、図９に示すように、掃除機本体１は、掃除機本体１に吸込具２、延長管３、及びホース４が取り付けられた状態で掃除機本体１が収納状態とされ、かつ、被係止部１３に係止部１４が係止された状態において、把手部１２と被清掃面Ｆとを垂直に結んだ直線Ｌ１、すなわち、把手部本体１２ａの中心部と被清掃面Ｆとを垂直に結んだ直線Ｌ１上に、掃除機本体１に吸込具２、延長管３、及びホース４を取り付けた状態における掃除機本体１の重心Ｇ２が位置するように構成されている。
【００４６】
以上のように構成された電気掃除機１００について、以下、その動作及び作用を説明する。
【００４７】
掃除機本体１を使用状態とし、掃除機本体１に吸込具２、延長管３、及びホース４を接続した状態で、使用者により電気掃除機１００の運転が開始されると、電動送風機（図示せず）で吸引風が発生され、吸引力が発生する。この状態で、使用者が吸込具２を被清掃面Ｆ上で移動させると、吸込具２の吸込口（図示せず）から被清掃面Ｆ上の塵埃が空気とともに吸引される。吸込具２で吸引された塵埃は、空気とともに、延長管３及びホース４を介して掃除機本体１の接続口１ａから掃除機本体１の内部へと流入し、掃除機本体１の内部に配置された集塵部（図示せず）によって塵埃が捕集される。塵埃が捕集された後の空気は、電動送風機（図示せず）の内部へと流入し、掃除機本体１の内部へと排出され、その後、掃除機本体１の後面に形成された排気口（図示せず）から掃除機本体１の外部へと排出される。
【００４８】
掃除中に使用者が掃除機本体１を持ち上げて移動させる場合や掃除が終了し電気掃除機１００を収納する場合、使用者は掃除機本体１に設けられた把手部１２の把手部本体１２ａを保持し、掃除機本体１を持ち上げる。
【００４９】
使用者が終了し、使用者が電気掃除機１００を収納する際、使用者は、掃除機本体１を収納状態とするとともに、掃除機本体１の側面に設けられた被係止部１３に係止部１４を係止させ、掃除機本体１に接続された吸込具２、延長管３、及びホース４を掃除機本体１と一体的に収納することができる。ここで、本実施の形態においては、掃除機本体１の収納状態において、被係止部１３の上方、すなわち、被係止部１３の把手部１２側から係止部１４が被係止部１３内に挿入されることで、被係止部１３に係止部１４が係止され、吸込具２、延長管３、及びホース４が掃除機本体１と一体的に収納されるように構成している。そのため、吸込具２、延長管３、ホース４等に前後方向の外力が加わった場合であっても、被係止部１３と係止部１４との係合が外れることがなく、吸込具２、延長管３、及びホース４を掃除機本体１に確実に保持させることができる。また、延長管３を上方へと引き上げることで被係止部１３と係止部１４との係合を容易に解除することができ、電気掃除機１００の使い勝手を向上させることができる。
【００５０】
掃除機本体１が収納状態とされ、かつ、被係止部１３に係止部１４が取り付けられた状態において、使用者が掃除機本体１を持ち運ぶ際、使用者は、把手部１２の把手部本体１２ａを保持し、把手部１２を上方へと持ち上げる。使用者によって把手部１２が上方へと持ち上げられると、掃除機本体１が上方へと持ち上げられ、掃除機本体１の後面に設けられた第１の接地部１０及び第２の接地部１１が被清掃面Ｆから離間される。このとき、本実施の形態においては、掃除機本体１が収納状態とされ、かつ、係止部１４が被係止部１３に取り付けられた状態において、掃除機本体１に吸込具２、延長管３、及びホース４が取り付けられた状態における重心Ｇ２が把手部本体１２ａの中心部と被清掃面Ｆとを垂直に結ぶ直線Ｌ１上に位置するように構成しているため、収納状態とされた掃除機本体１の被係止部１３に係止部１４が取り付けられ、吸込具２、延長管３、及びホース４が一体的に収納された掃除機本体１を使用者が上方に持ち上げた際に、掃除機本体１に吸込具２、延長管３、及びホース４が取り付けられた状態における重心Ｇ２が把手部本体１２ａの中央部と被清掃面Ｆとを垂直に結ぶ直線Ｌ１方向に振れることがない。そのため、収納状態とされ、吸込具２、延長管３、及びホース４が一体的に取り付けられた掃除機本体１を使用者が持ち運ぶ際に、掃除機本体１に吸込具２、延長管３、及びホース４が取り付けられた状態における重心Ｇ２が把手部本体１２ａの中央部と被清掃面Ｆとを垂直に結ぶ直線Ｌ１方向に振れることによって生じる振動が把手部１２を保持している使用者の手に伝わることがなく、使用者の手に負担がかかることがないため、使用者は掃除機本体１を安定して持ち運ぶことができ、電気掃除機の使い勝手を向上させることができる。
【００５１】
また、本実施の形態においては、収納状態とされた掃除機本体１の被係止部１３に係止部１４が取り付けられ、吸込具２、延長管３、及びホース４が一体的に収納された状態において、把手部１２の把手部本体１２ａの中央部と被清掃面Ｆとを垂直に結ぶ直線Ｌ１上に、掃除機本体１に吸込具２、延長管３、及びホース４が取り付けられた状態における重心Ｇ２が位置するように構成しているため、吸込具２、延長管３、及びホース４が取り付けられた状態で収納されている掃除機本体１を使用者が持ち運ぶ際に、掃除機本体１に吸込具２、延長管３、及びホース４が取り付けられた状態における重心Ｇ２が把手部本体１２ａの中央部と被清掃面Ｆとを垂直に結ぶ直線Ｌ１方向に振れることがない。そのため、吸込具２、延長管３、及びホース４が取り付けられた状態で収納されている掃除機本体１を使用者が持ち運ぶ際に、掃除機本体１が振られることがなく、掃除機本体１に内蔵された電動送風機（図示せず）等の内部部品への衝撃負荷を抑制することができる。
【００５２】
さらに、本実施の形態においては、収納状態とされた掃除機本体１の被係止部１３に係止部１４が取り付けられ、吸込具２、延長管３、及びホース４が一体的に収納された状態において、把手部１２の把手部本体１２ａの中央部と被清掃面Ｆとを垂直に結ぶ直線Ｌ１上に、掃除機本体１に吸込具２、延長管３、及びホース４が取り付けられた状態における重心Ｇ２が位置するように構成しているため、使用者が持ち運んでいる掃除機本体１を被清掃面Ｆ上に置く際、掃除機本体１の後面に設けられた第１の接地部１０及び第２の接地部１１が同時に被清掃面Ｆに接地する。そのため、使用者が持ち運んでいる掃除機本体１を被清掃面Ｆ上に降ろした際に、掃除機本体１に吸込具２、延長管３、及びホース４が取り付けられた状態における重心Ｇ２が移動し、掃除機本体１が転倒することがなく、掃除機本体１を安定して被清掃面Ｆ上に載置することができ、電気掃除機１００の使い勝手を向上させることができる。
【００５３】
なお、本実施の形態においては、収納状態とされた掃除機本体１の被係止部１３に係止部１４が取り付けられ、吸込具２、延長管３、及びホース４が一体的に収納された状態において、把手部１２の把手部本体１２ａの中央部と被清掃面Ｆとを垂直に結ぶ直線Ｌ１上に、掃除機本体１に吸込具２、延長管３、及びホース４が取り付けられた状態における重心Ｇ２が位置するように構成されている構成について説明したが、収納状態とされた掃除
機本体１の被係止部１３に係止部１４が取り付けられ、吸込具２、延長管３、及びホース４が一体的に収納された状態において、掃除機本体１に吸込具２、延長管３、及びホース４が取り付けられた状態における重心Ｇ２は、把手部１２の把手部本体１２ａの中央部と被清掃面Ｆとを垂直に結ぶ直線Ｌ１上で、かつ、把手部１２よりも下方に位置するように構成されていることが好ましい。この構成により、収納状態とされ、吸込具２、延長管３、及びホース４が一体的に取り付けられた掃除機本体１を使用者が持ち運んでいる際に、家具などへの衝突により、掃除機本体１が不意に傾いた場合であっても、掃除機本体１が大きく振れ、使用者の手に負担がかかってしまうことをより確実に防止することができ、電気掃除機の使い勝手を向上させることができる。
【００５４】
また、本実施の形態においては、掃除機本体１の側面に被係止部１３が形成されている構成について説明したが、被係止部１３は、掃除機本体１が収納状態とされた状態において、把手部本体１２ａの中心部と被清掃面Ｆとを結ぶ直線Ｌ１を掃除機本体１の側面に投影した直線上に位置するように、掃除機本体１の側面に形成されていることが好ましい。この構成により、掃除機本体１に吸込具２、延長管３、及びホース４が取り付けられた状態で収納状態とされている掃除機本体１を持ち運ぶために、使用者が掃除機本体１に設けられた把手部１２を保持し、掃除機本体１を持ち上げたときに、掃除機本体１が振れることを十分に防止することができ、把手部１２を保持している使用者の手に負担がかかることを十分に防止することができるため、掃除機本体１を安定して持ち運ぶことができ、電気掃除機１００の使い勝手を向上させることができる。
【００５５】
さらに、本実施の形態においては、掃除機本体１の側面に被係止部１３が形成されている構成について説明したが、被係止部１３は、掃除機本体１の両側面に形成されていることが好ましい。この構成により、使用者の利き手によらず、係止部１４を被係止部１３に係止させることができるため、電気掃除機１００の使い勝手を向上させることができる。
【００５６】
また、本実施の形態においては、係止部１４が延長管３に設けられている構成について説明したが、係止部１４は、吸込具２に設けられていてもよく、また、吸込具２及び延長管３の両方に設けられていてもよい。この構成においても、上述した係止部１４が延長管３に設けられている構成と同様の効果を奏することができる。
【産業上の利用可能性】
【００５７】
本発明の電気掃除機は、収納状態とされた掃除機本体を持ち運ぶために、使用者が掃除機本体を持ち上げたときに、把手部を保持している使用者の手に負担がかかることを十分に防止することができ、電気掃除機の使い勝手を向上させることが可能となるため、家庭用電気掃除機及び産業用電気掃除機の分野・用途に好適に適用することができる。
【符号の説明】
【００５８】
１  掃除機本体
１ａ  接続口
２  吸込具
３  延長管
４  ホース
５  保持部
６  先端パイプ
７  接続パイプ
８  車輪
９  キャスター
１０  第１の接地部
１１  第２の接地部
１２  把手部
１２ａ  把手部本体
１２ｂ  取付部
１３  被係止部
１４  係止部
１００  電気掃除機
【図１】
2014200536.tif 000003
【図２】
2014200536.tif 000004
【図３】
2014200536.tif 000005
【図４】
2014200536.tif 000006
【図５】
2014200536.tif 000007
【図６】
2014200536.tif 000008
【図７】
2014200536.tif 000009
【図８】
2014200536.tif 000010
【図９】
2014200536.tif 000011
【図１０】
2014200536.tif 000012
【図１１】
2014200536.tif 000013